(57)【特許請求の範囲】
【請求項１】
内容物を収容可能な空間である収容空間を形成する本体、および、前記本体の開口の周囲に形成されたフランジを備えるトレーと、
前記トレーに取り付けられることにより前記本体の開口を閉じる蓋とを備え、
前記蓋は、貫通している貫通部を備え、さらに前記トレーに取り付け可能な回転位置または位置を複数備え、
前記本体に対する前記蓋の回転位置または位置が第１の位置に設定される場合、前記フランジのうちの前記蓋とのシールが予定されている部分であるシール予定部よりも前記フランジの縁寄りの部分に前記貫通部が配置され、前記本体に対する前記蓋の回転位置または位置が第２の位置に設定される場合、前記貫通部と前記収容空間とが繋がる
パッケージ。
【請求項２】
前記フランジは、前記フランジの表側に開口し、前記収容空間と繋がる空間である凹部空間を形成する凹部を備え、
前記本体に対する前記蓋の回転位置または位置が前記第２の位置に設定される場合、前記貫通部と前記凹部空間とが繋がることにより前記貫通部と前記収容空間とが繋がり、平面視における前記凹部の面積は前記貫通部の面積よりも広い
請求項１に記載のパッケージ。
【請求項３】
前記フランジは前記本体の開口の周囲の全体に形成される
請求項１または２に記載のパッケージ。
【請求項４】
前記収容空間に内容物が収容され、前記本体に対する前記蓋の回転位置または位置が前記第１の位置に設定され、前記シール予定部と前記蓋とがシールされている
請求項１〜３のいずれか一項に記載のパッケージ。
【発明の詳細な説明】
【技術分野】
【０００１】
本発明は、トレー、および、トレーの開口を閉じる蓋を備えるパッケージに関する。
【背景技術】
【０００２】
従来、食品等の内容物を収容した状態で電子レンジ等の加熱手段で加熱されるパッケージが知られている。その一例である特許文献１に記載のパッケージは開口が形成されているトレー、および、開口を閉じる蓋を備える。蓋の長手方向の中央には孔が形成され、孔は粘着ラベルにより閉じられている。パッケージが加熱されることにより、内容物が水蒸気を発生し、トレーの内部の空間の圧力が上昇して蓋が膨張する。蓋が膨張することにより、粘着ラベルが剥離し、孔を介してトレーの内部の空間と外部とが繋がり、水蒸気が外部に排出される。
【先行技術文献】
【特許文献】
【０００３】
【特許文献１】特開２００８−２５３４８１号公報
【発明の概要】
【発明が解決しようとする課題】
【０００４】
上記パッケージによれば、例えば、流通段階で粘着ラベルに外力が作用することにより粘着ラベルが剥離し、孔を介して異物がトレーの内部の空間に入り込むおそれがある。
本発明の目的は、トレーに異物が入り込みにくく、かつ、水蒸気を適切に排出できるパッケージを提供することである。
【課題を解決するための手段】
【０００５】
〔１〕本発明に従うパッケージの一形態は、内容物を収容可能な空間である収容空間を形成する本体、および、前記本体の開口の周囲に形成されたフランジを備えるトレーと、前記トレーに取り付けられることにより前記本体の開口を閉じる蓋とを備え、前記蓋は、貫通している貫通部を備え、さらに前記トレーに取り付け可能な回転位置または位置を複数備え、前記本体に対する前記蓋の回転位置または位置が第１の位置に設定される場合、前記フランジのうちの前記蓋とのシールが予定されている部分であるシール予定部よりも前記フランジの縁寄りの部分に前記貫通部が配置され、前記本体に対する前記蓋の回転位置または位置が第２の位置に設定される場合、前記貫通部と前記収容空間とが繋がる。
【０００６】
上記パッケージによれば、トレーの収容空間に内容物を収容した後、本体に対する蓋の回転位置または位置を第１の位置に設定した状態でシール予定部と蓋とをシールすることにより、トレーの開口の縁と貫通部との間に蓋とトレーとがシールされた部分が形成される。このため、貫通部と収容空間とが繋がることがシールされた部分により妨げられ、貫通部からトレーの収容空間に異物が入り込みにくい。
【０００７】
一方、エンドユーザーは内容物が収容されたパッケージを加熱するとき、蓋とトレーとのシールを剥離してトレーから蓋を一旦外し、本体に対する蓋の回転位置または位置を第２の位置に設定する。本体に対する蓋の回転位置または位置が第２の位置に設定されている場合、貫通部と収容空間とが繋がるため、パッケージが加熱されることにより内容物から発生した水蒸気は貫通部を介して適切に外部に排出される。
【０００８】
〔２〕前記パッケージの一例によれば、前記フランジは、前記フランジの表側に開口し、前記収容空間と繋がる空間である凹部空間を形成する凹部を備え、前記本体に対する前記蓋の回転位置または位置が前記第２の位置に設定される場合、前記貫通部と前記凹部空間とが繋がることにより前記貫通部と前記収容空間とが繋がる。
【０００９】
上記パッケージによれば、本体に対する蓋の位置が第２の位置に設定されている場合、貫通部がフランジに形成されている凹部と面するため、貫通部と面する部分に凹部空間が存在する。このため、収容空間から凹部空間、および、貫通部を介して外部に排出されようとする水蒸気が貫通部の近傍で滞留しにくく、水蒸気がより適切に排出されやすい。
【００１０】
〔３〕前記パッケージの一例によれば、前記フランジは前記本体の開口の周囲の全体に形成される。
トレーに内容物が収容されたパッケージが加熱されているとき、トレーの収容空間から貫通部を介して水蒸気が排出される。このため、フランジのうちの貫通部と面している凹部が形成されている部分は温度が高い。上記パッケージによれば、フランジが本体の開口の周囲の全体に形成されているため、エンドユーザーは加熱が終了したパッケージのフランジのうちの凹部が形成されている部分以外の部分、すなわち、比較的温度の低い部分を把持することができる。このため、パッケージを持ち運びやすい。
【００１１】
〔４〕前記パッケージの一例によれば、前記収容空間に内容物が収容され、前記本体に対する前記蓋の回転位置または位置が前記第１の位置に設定され、前記シール予定部と前記蓋とがシールされている。
【００１２】
上記パッケージによれば、上記〔１〕〜〔３〕のパッケージが用いられているため、トレーの収容空間に異物が入り込みにくく、かつ、水蒸気を適切に排出できる。
【発明の効果】
【００１３】
上記パッケージによれば、トレーに異物が入り込みにくく、かつ、水蒸気を適切に排出できる。
【図面の簡単な説明】
【００１４】
【図１】第１実施形態のパッケージの平面図。
【図２】図１のＤ２−Ｄ２線に沿う断面図。
【図３】図２のトレーに液状内容物が収容された状態を示す断面図。
【図４】図３のトレーのシール予定部にシール加工が施された状態を示す平面図。
【図５】図４のＤ５−Ｄ５線に沿う断面図。
【図６】図５のトレーに固形状内容物が収容されている最中を示す断面図。
【図７】図６のトレーに固形状内容物が収容され、本体に対する蓋の位置が第２の位置の状態で蓋がトレーに取り付けられた状態を示す断面図。
【図８】図７のトレーの平面図。
【図９】第２実施形態のパッケージの平面図。
【図１０】本体に対する蓋の位置が第２の位置の状態で蓋がトレーに取り付けられた状態のパッケージの平面図。
【図１１】第３実施形態のトレーの平面図。
【図１２】第３実施形態の蓋の平面図。
【図１３】図１２のＤ１３−Ｄ１３線に沿う断面図。
【図１４】図１１のトレーに液状内容物が収容され、シール予定部にシール加工が施された状態を示す平面図。
【図１５】図１４のトレーに固形状内容物が収容され、本体に対する蓋の位置が第２の位置の状態で蓋がトレーに取り付けられた状態を示す平面図。
【図１６】第４実施形態のトレーの平面図。
【図１７】第４実施形態の蓋の平面図。
【図１８】図１７のＤ１８−Ｄ１８線に沿う断面図。
【図１９】図１６のトレーに液状内容物が収容され、シール予定部にシール加工が施された状態を示す平面図。
【図２０】図１９のトレーに固形状内容物が収容され、本体に対する蓋の位置が第２の位置で蓋がトレーに取り付けられた状態を示す平面図。
【発明を実施するための形態】
【００１５】
（第１実施形態）
図１または図２に示されるように、内容物が収容される前のパッケージ１はトレー１０、および、トレー１０に取り付け可能な蓋５０を備える。なお、図１および図２はトレー１０と蓋５０とがシールされていない状態のパッケージ１を示している。
【００１６】
トレー１０は内容物を収容可能な空間である収容空間２１を形成する本体２０、および、本体２０の開口１１の周囲に形成されたフランジ３０を備える。トレー１０は一例として、最外層、中間層、および、最内層が積層された３層構造を備える。最外層を構成する材料の一例はポリプロピレンである。中間層を構成する材料の一例はエバール樹脂である。最内層を構成する材料の一例はポリプロピレンである。本体２０は上部が開口している中空の直方体形状である。
【００１７】
フランジ３０は開口１１の周囲の全体に形成されている。フランジ３０は、本体２０の長手方向の一方の端部に形成されている第１の部分３１、本体２０の長手方向の他方の端部に形成されている第２の部分３２、および、第１の部分３１と第２の部分３２とを繋ぐ一対の第３の部分３３を備える。
【００１８】
第１の部分３１は本体２０の長手方向において、本体２０を介して第２の部分３２と対向し、開口１１の縁から外側に延びている。第１の部分３１の面積は第２の部分３２の面積よりも大きい。
【００１９】
第２の部分３２は開口１１の縁から外側に延び、凹部３２Ａが形成されている。凹部３２Ａはフランジ３０の表面に開口し、収容空間２１と繋がる空間である凹部空間３２Ｂを形成する。凹部３２Ａの開口は本体２０の開口１１と繋がっている。一対の第３の部分３３は、本体２０の短手方向において、本体２０を介して対向している。
【００２０】
図１に示される二点鎖線はフランジ３０に形成され、蓋５０とシールされる部分であるシール予定部４０が形成されている領域である。シール予定部４０は凹部３２Ａの開口、および、本体２０の開口１１の周囲の全体に形成されている。
【００２１】
図１に示されるように、蓋５０は平面視において楕円形状であり、パッケージ１の高さ方向に貫通している貫通部５１が形成されている。蓋５０は一例として、最外層、中間層、および、最内層が積層された３層構造を備える。最外層を構成する材料の一例はポリプロピレンである。中間層を構成する材料の一例はエバール樹脂である。最内層を構成する材料の一例はトレー１０の最内層を構成するポリプロピレンと容易にシール可能であるイージーピール性樹脂である。貫通部５１は蓋５０の平面視において円形状の孔である。
【００２２】
蓋５０はトレー１０に取り付け可能な回転位置を複数備える。回転位置は第１の位置および第２の位置を含む。エンドユーザーは蓋５０をトレー１０の高さ方向の軸回りで回転させることにより、本体２０に対する蓋５０の回転位置を変更する。
【００２３】
本体２０に対する蓋５０の回転位置が第１の位置に設定される場合（図１および図２参照）、フランジ３０のうちの蓋５０とのシールが予定されている部分であるシール予定部４０よりもフランジ３０の縁寄りの部分に貫通部５１が配置される。本体２０に対する蓋５０の位置が第１の位置に設定される場合、貫通部５１はフランジ３０のうちの第１の部分３１と面する。
【００２４】
本体２０に対する蓋５０の回転位置が第２の位置に設定される場合（図７および図８参照）、貫通部５１と収容空間２１とが繋がる。本体２０に対する蓋５０の位置が第２の位置に設定される場合、貫通部５１はフランジ３０のうちの第２の部分３２に形成されている凹部３２Ａと面する。
【００２５】
パッケージ１への内容物の充填方法の一例について説明する。
図３に示されるように、蓋５０がトレー１０から取り外され、トレー１０の収容空間２１に液状内容物１１０が収容される。液状内容物１１０の一例は、ソース等の調味料である。
【００２６】
図４または図５に示されるように、トレー１０の収容空間２１に液状内容物１１０が収容された後、本体２０に対する蓋５０の回転位置が第１の位置となるように蓋５０がトレー１０に取り付けられ、シール予定部４０およびシール予定部４０に対応する蓋５０の部分にシール加工が施される。このため、シール予定部４０であった部分に蓋５０とトレー１０とがシールされた部分であるシール部６０が形成される。シール部６０は開口１１の縁と貫通部５１との間にも形成される。このため、蓋５０の貫通部５１とトレー１０の収容空間２１とが繋がることがシール部６０により妨げられる。シール部６０が形成された状態のパッケージ１は例えば、コンビニエンスストア等に陳列される。
【００２７】
パッケージ１の使用方法の一例とともに作用について説明する。
図６に示されるように、エンドユーザーは液状内容物１１０が収容され、シール部６０が形成されているパッケージ１を購入後、パッケージ１を電子レンジ等の加熱手段（図示略）により加熱する前に蓋５０をトレー１０から一旦取り外す。このため、シール部６０が剥離する。エンドユーザーは蓋５０をトレー１０から取り外した後、固形状内容物１２０を液状内容物１１０に追加する。固形状内容物１２０の一例は、肉および野菜である。
【００２８】
図７または図８に示されるように、エンドユーザーは液状内容物１１０に固形状内容物１２０を追加した後、本体２０に対する蓋５０の回転位置が第２の位置となるように蓋５０をトレー１０に取り付ける。その後、エンドユーザーはパッケージ１を加熱手段により加熱する。パッケージ１が加熱されることにより液状内容物１１０および固形状内容物１２０が水蒸気を発生する。本体２０に対する蓋５０の回転位置が第２の位置に設定される場合、貫通部５１と収容空間２１とが繋がるため、液状内容物１１０および固形状内容物１２０から発生した水蒸気は貫通部５１を介して適切に外部に排出される。パッケージ１の加熱が終了した後、エンドユーザーはフランジ３０のうちの例えば第１の部分３１を掴んで加熱手段からパッケージ１を取り出す。
【００２９】
パッケージ１によれば、以下の効果が得られる。
（１）トレー１０の収容空間２１に液状内容物１１０を収容した後、本体２０に対する蓋５０の回転位置を第１の位置に設定した状態でシール予定部４０と蓋５０とをシールすることにより、トレー１０の開口１１の縁と貫通部５１との間にシール部６０が形成される。このため、貫通部５１と収容空間２１とが繋がることがシール部６０により妨げられ、貫通部５１からトレー１０の収容空間２１に異物が入り込まない。
【００３０】
（２）本体２０に対する蓋５０の回転位置が第２の位置に設定されている場合、貫通部５１と収容空間２１とが繋がるため、パッケージ１が加熱されることにより液状内容物１１０および固形状内容物１２０から発生した水蒸気は貫通部５１を介して適切に外部に排出される。
【００３１】
（３）本体２０に対する蓋５０の位置が第２の位置に設定されている場合、貫通部５１がフランジ３０に形成されている凹部３２Ａと面するため、貫通部５１と面する部分に凹部３２Ａの凹部空間３２Ｂが存在する。このため、収容空間２１から凹部空間３２Ｂ、および、貫通部５１を介して外部に排出されようとする水蒸気が貫通部５１の近傍で滞留しにくく、水蒸気がより適切に排出されやすい。
【００３２】
（４）トレー１０に液状内容物１１０および固形状内容物１２０が収容されたパッケージ１が加熱されているとき、トレー１０の収容空間２１から貫通部５１を介して水蒸気が排出される。このため、フランジ３０のうちの貫通部５１と面している凹部３２Ａが形成されている第２の部分３２は温度が高い。パッケージ１はフランジ３０が本体２０の開口１１の周囲の全体に形成されているため、エンドユーザーは加熱が終了したパッケージ１のフランジ３０のうちの凹部３２Ａが形成されている部分以外の部分、すなわち、比較的温度の低い部分を把持することができる。このため、パッケージ１を持ち運びやすい。
【００３３】
（５）第１の部分３１の面積が第２の部分３２の面積よりも大きいため、エンドユーザーはフランジ３０のうちの比較的温度の低い部分である第１の部分３１をより把持しやすい。
【００３４】
（６）シール予定部４０が開口１１の周囲の全体に形成されているため、収容空間２１に液状内容物１１０が収容され、本体２０に対する蓋５０の回転位置が第１の位置に設定された状態でシール予定部４０と蓋５０とがシールされることにより、開口１１の周囲の全体にシール部６０が形成される。このため、開口１１の周囲の全体と蓋５０とが密封され、異物がトレー１０の収容空間２１に入り込まない。
【００３５】
（第２実施形態）
図９および図１０を参照して、第２実施形態のパッケージ１について説明する。なお、第１実施形態と共通する構成については第１実施形態と同一の符号を付し、その説明を省略する。
【００３６】
図９に示されるように、パッケージ１はトレー２１０、および、トレー２１０に取り付け可能な蓋２５０を備える。なお、図９は、トレー２１０の収容空間２２１に液状内容物１１０が収容され、シール予定部２４０にシール加工が施されることによりトレー２１０と蓋２５０とがシールされた部分であるシール部２６０が形成されている状態のパッケージ１を示している。なお、シール部２６０はトレー２１０のフランジ２３０のうちの図９においてドットで示される領域に形成されている。
【００３７】
トレー２１０は液状内容物１１０と固形状内容物１２０（図１０参照）とを収容可能な空間である収容空間２２１を形成する本体２２０、および、本体２２０の開口２１１の周囲に形成されたフランジ２３０を備える。トレー２１０の層構造、および、各層を構成する材料は第１実施形態のトレー１０と同一である。本体２２０は上部が開口している中空の直方体形状である。
【００３８】
フランジ２３０は開口２１１の周囲の全体に形成されている。フランジ２３０は本体２２０の短手方向において本体２２０を介して対向している第１の部分２３１と第２の部分２３２、および、本体２２０の長手方向において本体２２０を介して対向している第３の部分２３３と第４の部分２３４を備える。
【００３９】
第１の部分２３１および第２の部分２３２は本体２２０の長手方向に延びている。第１の部分２３１の面積と第２の部分２３２の面積とは実質的に等しい。
第３の部分２３３は本体２２０の短手方向に延びている。第３の部分２３３には凹部２３３Ａが形成され、凹部２３３Ａの内部の空間２３３Ｂは本体２２０の収容空間２２１と繋がっている。
【００４０】
第４の部分２３４は本体２２０の短手方向に延びている。第４の部分２３４の面積は第１の部分２３１および第２の部分２３２よりも小さい。第４の部分２３４の面積は第３の部分２３３の面積よりも大きい。
【００４１】
シール予定部２４０は凹部２３３Ａの開口、および、本体２２０の開口２１１の周囲の全体に形成されている。
蓋２５０は平面視において四角形状であり、パッケージ１の高さ方向に貫通している貫通部２５１を備える。蓋２５０の層構造、および、各層を構成する材料は第１実施形態の蓋５０と同一である。貫通部２５１はパッケージ１の平面視において円形状の孔である。
【００４２】
蓋２５０はトレー２１０に取り付け可能な回転位置を複数備える。回転位置は第１の位置および第２の位置を含む。エンドユーザーは蓋２５０をトレー２１０の高さ方向の軸回りで回転させることにより、本体２２０に対する蓋２５０の回転位置を変更する。
【００４３】
本体２２０に対する蓋２５０の回転位置が第１の位置に設定される場合（図９参照）、シール部２６０よりも、フランジ２３０の縁寄りの部分に貫通部２５１が配置される。本体２２０に対する蓋２５０の回転位置が第１の位置に設定される場合、貫通部２５１はフランジ２３０のうちの第１の部分２３１と面する。
【００４４】
一方、本体２２０に対する蓋２５０の回転位置が第２の位置に設定される場合（図１０参照）、貫通部２５１と収容空間２２１とが繋がる。本体２２０に対する蓋２５０の回転位置が第１の位置に設定される場合、貫通部２５１は、フランジ２３０のうちの第３の部分２３３に形成されている凹部２３３Ａと面する。
【００４５】
パッケージ１の使用方法の一例とともに作用について説明する。
エンドユーザーは図９に示されるパッケージ１を購入後、パッケージ１を電子レンジ等の加熱手段（図示略）により加熱する前に、蓋２５０をトレー２１０から一旦取り外す。このため、シール部２６０が剥離する。
【００４６】
図１０に示されるように、エンドユーザーは液状内容物１１０に固形状内容物１２０を追加した後、本体２２０に対する蓋２５０の位置が第２の位置となるように蓋２５０をトレー２１０に取り付ける。その後、エンドユーザーはパッケージ１を加熱手段により加熱する。パッケージ１が加熱されることにより液状内容物１１０および固形状内容物１２０が水蒸気を発生する。本体２２０に対する蓋２５０の位置が第２の位置に設定されている場合、貫通部２５１と収容空間２２１とが繋がるため、液状内容物１１０および固形状内容物１２０から発生した水蒸気は貫通部２５１を介して適切に外部に排出される。パッケージ１の加熱が終了した後、エンドユーザーはフランジ２３０のうちの例えば第１の部分２３１を掴んで加熱手段からパッケージ１を取り出す。パッケージ１によれば、上記（１）〜（６）に準じた効果が得られる。
【００４７】
（第３実施形態）
図１１〜図１５を参照して、第３実施形態のパッケージ１について説明する。なお、第１実施形態と共通する構成については第１実施形態と同一の符号を付し、その説明を省略する。
【００４８】
図１１に示されるように、パッケージ１のトレー３１０は液状内容物１１０と固形状内容物１２０（図１５参照）を収容可能な空間である収容空間３２１を形成する本体３２０、および、本体３２０の開口３１１の周囲に形成されたフランジ３３０を備える。トレー３１０の層構造、および、各層を構成する材料は第１実施形態のトレー１０と同一である。なお、図１１に示される二点鎖線はトレー３１０のフランジ３３０に形成され、蓋３５０（図１２参照）とシールされる部分であるシール予定部３４０が形成されている領域である。
【００４９】
フランジ３３０は開口３１１の周囲の全体に形成されている。フランジ３３０は平面視において円形状の平坦部３３１、平坦部３３１の一部に形成されている凹部３３２、平坦部３３１の周方向において１８０°位相の異なる一対の穴３３３、および、平坦部３３１の周方向において１８０°位相の異なる一対の穴３３４を備える。凹部３３２の内部の空間である凹部空間３３２Ａは本体３２０の収容空間３２１と繋がっている。
【００５０】
シール予定部３４０は凹部３３２の開口、および、本体３２０の開口３１１の周囲の全体に形成されている。
図１２に示されるように、パッケージ１の蓋３５０は平面視において円形状であり、貫通部３５１、および、フランジ３３０の穴３３３，３３４（図１１参照）に挿入される２つの突起３５２を備える。蓋３５０の層構造、および、各層を構成する材料は第１実施形態の蓋５０と同一である。
【００５１】
貫通部３５１は蓋３５０の平面視において十字形状の切り込みであり、パッケージ１の高さ方向に貫通している。
図１３に示されるように、突起３５２は円柱形状であり、パッケージ１の高さ方向の下方に延びている。
【００５２】
蓋３５０はトレー３１０に取り付け可能な回転位置を複数備える。回転位置は第１の位置および第２の位置を含む。エンドユーザーは蓋３５０をトレー３１０の高さ方向の軸回りで回転させることにより、本体３２０に対する蓋３５０の回転位置を変更する。
【００５３】
本体３２０に対する蓋３５０の回転位置が第１の位置に設定される場合（図１４参照）、シール部３６０よりもフランジ３３０の縁寄りの部分に貫通部３５１が配置される。本体３２０に対する蓋３５０の回転位置が第１の位置に設定される場合、貫通部３５１はフランジ３３０のうちの平坦部３３１と面し、蓋３５０の２つの突起３５２はフランジ３３０の２つの穴３３３に挿入される。
【００５４】
一方、本体３２０に対する蓋３５０の回転位置が第２の位置に設定される場合（図１５参照）貫通部３５１と収容空間３２１とが繋がる。本体３２０に対する蓋３５０の回転位置が第２の位置に設定される場合、貫通部３５１はフランジ３３０のうちの凹部３３２と面し、蓋３５０の２つの突起３５２はフランジ３３０の２つの穴３３４に挿入される。
【００５５】
パッケージ１の使用方法の一例とともに作用について説明する。
図１４に示されるように、パッケージ１はトレー３１０の収容空間３２１に液状内容物１１０が収容された後、本体３２０に対する蓋３５０の位置が第１の位置となるように蓋３５０がトレー３１０に取り付けられ、シール予定部３４０にシール加工が施される。このため、シール予定部３４０であった部分に蓋３５０とトレー３１０とがシールされた部分であるシール部３６０が形成される。シール部３６０は開口３１１の縁と貫通部３５１との間にも形成されるため、貫通部３５１とトレー３１０の収容空間３２１とが繋がることがシール部３６０により妨げられる。
【００５６】
エンドユーザーは液状内容物１１０が収容され、シール部３６０が形成されているパッケージ１を購入後、パッケージ１を電子レンジ等の加熱手段（図示略）により加熱する前に、蓋３５０をトレー３１０から一旦取り外す。このため、シール部３６０が剥離する。
【００５７】
図１５に示されるように、エンドユーザーは液状内容物１１０に固形状内容物１２０を追加した後、本体３２０に対する蓋３５０の位置が第２の位置となるように蓋３５０の２つの突起３５２を穴３３４に挿入してトレー３１０に取り付ける。その後、エンドユーザーはパッケージ１を加熱手段により加熱する。パッケージ１が加熱されることにより液状内容物１１０および固形状内容物１２０が水蒸気を発生する。本体３２０に対する蓋３５０の位置が第２の位置に設定されている場合、貫通部３５１と収容空間３２１とが繋がるため、液状内容物１１０および固形状内容物１２０から発生した水蒸気は貫通部３５１を介して適切に外部に排出される。パッケージ１の加熱が終了した後、エンドユーザーはフランジ３３０のうちの、例えば平坦部３３１を掴んで加熱手段からパッケージ１を取り出す。
【００５８】
パッケージ１によれば、上記（１）〜（４）、および、（６）に準じた効果に加えて以下の効果が得られる。
（７）蓋３５０に突起３５２が形成され、トレー３１０のフランジ３３０に穴３３３，３３４が形成されているため、突起３５２を穴３３３または穴３３４に挿入することにより本体３２０に対する蓋３５０の回転位置の位置決めを行いやすい。
【００５９】
（第４実施形態）
図１６〜図２０を参照して、第４実施形態のパッケージ１について説明する。なお、第１実施形態と共通する構成については第１実施形態と同一の符号を付し、その説明を省略する。
【００６０】
図１６に示されるように、パッケージ１のトレー４１０は液状内容物１１０と固形状内容物１２０（図２０参照）とを収容可能な空間である収容空間４２１を形成する本体４２０、および、開口４１１の周囲に形成されたフランジ４３０を備える。トレー４１０の層構造、および、各層を構成する材料は第１実施形態のトレー１０と同一である。なお、図１６に示される二点鎖線はトレー４１０のフランジ４３０に形成され、蓋４５０（図１７参照）とシールされる部分であるシール予定部４４０が形成されている領域である。
【００６１】
フランジ４３０は開口４１１の周囲の全体に形成されている。フランジ４３０は平面視において四角形状の平坦部４３１、平坦部４３１に形成されている凹部４３２、本体４２０の短手方向において本体４２０を介して対向している一対の穴４３３、および、本体４２０の短手方向において本体４２０を介して対向している一対の穴４３４を備える。凹部４３２の内部の空間である凹部空間４３２Ａは本体４２０の収容空間４２１と繋がっている。
【００６２】
シール予定部４４０は凹部４３２の開口、および、本体４２０の開口４１１周囲の全体に形成されている。
図１７に示されるように、パッケージ１の蓋４５０は平面視において四角形状であり、貫通部４５１、および、フランジ４３０の穴４３３，４３４（図１６参照）に挿入される２つの突起４５２を備える。蓋４５０の層構造、および、各層を構成する材料は第１実施形態の蓋５０と同一である。
【００６３】
貫通部４５１は蓋４５０の平面視において四角形状の孔であり、パッケージ１の高さ方向に貫通している。
図１８に示されるように、突起４５２は円柱形状であり、パッケージ１の高さ方向の下方に延びている。
【００６４】
蓋４５０はトレー４１０に取り付け可能な位置を複数備える。位置は第１の位置および第２の位置を含む。エンドユーザーは蓋４５０を本体４２０の長手方向にずらすことにより、本体４２０に対する蓋４５０の位置を変更する。
【００６５】
本体４２０に対する蓋４５０の位置が第１の位置に設定される場合（図１９参照）、フランジ４３０のうちのシール部４６０よりもフランジ４３０の縁寄りの部分に貫通部４５１が配置される。本体４２０に対する蓋４５０の位置が第１の位置に設定される場合、貫通部４５１はフランジ４３０のうちの平坦部４３１と面し、蓋４５０の２つの突起４５２はフランジ４３０の２つの穴４３３に挿入される。
【００６６】
一方、本体４２０に対する蓋４５０の位置が第２の位置に設定される場合（図２０参照）貫通部４５１と収容空間４２１とが繋がる。本体４２０に対する蓋４５０の位置が第２の位置に設定される場合、貫通部４５１はフランジ３３０のうちの凹部４３２と面し、蓋４５０の２つの突起４５２はフランジ４３０の２つの穴４３４に挿入される。
【００６７】
パッケージ１の使用方法の一例とともに作用について説明する。
図１９に示されるように、パッケージ１はトレー４１０の収容空間４２１に液状内容物１１０が収容された後、本体４２０に対する蓋４５０の位置が第１の位置となるように２つの突起４５２が穴４３３に挿入されて蓋４５０がトレー４１０に取り付けられ、シール予定部４４０にシール加工が施される。このため、シール予定部４４０であった部分に蓋４５０とトレー４１０とがシールされた部分であるシール部４６０が形成される。シール部４６０は開口４１１の縁と貫通部４５１との間にも形成されるため、蓋４５０の貫通部４５１とトレー４１０の収容空間４２１とが繋がることがシール部４６０により妨げられる。
【００６８】
エンドユーザーは液状内容物１１０が収容され、シール部４６０が形成されているパッケージ１を購入後、パッケージ１を電子レンジ等の加熱手段（図示略）により加熱する前に、蓋４５０をトレー４１０から一旦取り外す。このため、シール部４６０が剥離する。
【００６９】
図２０に示されるように、エンドユーザーは液状内容物１１０に固形状内容物１２０を追加した後、蓋４５０を本体４２０の長手方向にずらし、本体４２０に対する蓋４５０の位置が第２の位置となるように蓋４５０の２つの突起４５２を穴４３４に挿入してトレー４１０に取り付ける。その後、エンドユーザーはパッケージ１を加熱手段により加熱する。パッケージ１が加熱されることにより液状内容物１１０および固形状内容物１２０が水蒸気を発生する。本体４２０に対する蓋４５０の位置が第２の位置に設定されている場合、貫通部４５１と収容空間４２１とが繋がるため、液状内容物１１０および固形状内容物１２０から発生した水蒸気は貫通部４５１を介して適切に外部に排出される。パッケージ１の加熱が終了した後、エンドユーザーはフランジ４３０のうちの例えば平坦部４３１を掴んで加熱手段からパッケージ１を取り出す。パッケージ１によれば、上記（１）〜（４）、（６）、および、（７）に準じた効果が得られる。
【００７０】
（変形例）
上記各実施形態に関する説明は、本発明に従うパッケージが取り得る形態の例示であり、その形態を制限することを意図していない。本発明に従うパッケージは、例えば以下に示される各実施形態の変形例、および、相互に矛盾しない少なくとも２つの変形例が組み合わせられた形態を取り得る。
【００７１】
・実施形態１の変形例のパッケージ１によれば、シール予定部４０が開口１１の周囲のうちの開口１１の縁と貫通部５１との間の部分のみに形成されている。
・実施形態１の変形例のパッケージ１によれば、フランジ３０の一対の第３の部分３３のうちの少なくとも一方が省略される。
【００７２】
・実施形態１の変形例のパッケージ１によれば、第２の部分３２の面積が第１の部分３１の面積と実質的に等しい、または、第２の部分３２の面積が第１の部分３１の面積よりも大きい。
【００７３】
・実施形態１の変形例のパッケージ１によれば、２つ以上の貫通部５１を備える。
・実施形態２の変形例のパッケージ１によれば、２つ以上の貫通部２５１を備える。
・実施形態３の変形例のパッケージ１によれば、２つ以上の貫通部３５１を備える。
【００７４】
・実施形態４の変形例のパッケージ１によれば、２つ以上の貫通部４５１を備える。
・実施形態１の変形例のパッケージ１によれば、凹部３２Ａが省略される。この変形例のパッケージ１は本体２０に対する蓋５０の位置が第１の位置のとき、貫通部５１が第１の部分３１と面し、本体２０に対する蓋５０の位置が第２の位置に設定されている場合、貫通部５１が本体２０の収容空間２１と直接的に繋がる。
【００７５】
・実施形態３の変形例のパッケージ１によれば、蓋３５０は１つ、または、３つ以上の突起３５２を備える。この変形例のパッケージ１は突起３５２の数に応じた数の穴３３３，３３４がフランジ３３０に形成される。
【００７６】
・実施形態４の変形例のパッケージ１によれば、蓋４５０は１つ、または、３つ以上の突起４５２を備える。この変形例のパッケージ１は突起４５２の数に応じた数の穴４３３，４３４がフランジ４３０に形成される。
【００７７】
（実施形態の記載に基づく付記事項）
上記の各実施形態に記載の事項を上位概念化した事項を以下に記載する。
内容物を収容可能な空間である収容空間を形成する本体、および、前記本体の開口の周囲に形成されたフランジを備えるトレーと、前記トレーに取り付けられることにより前記本体の開口を閉じる蓋とを備え、前記フランジは、貫通している貫通部を備え、前記蓋は前記トレーに取り付け可能な回転位置または位置を複数備え、前記本体に対する前記蓋の回転位置または位置が第１の位置に設定される場合、前記フランジのうちの前記蓋とのシールが予定されている部分であるシール予定部よりも前記フランジの縁寄りの部分に前記貫通部が配置され、前記本体に対する前記蓋の回転位置または位置が第２の位置に設定される場合、前記貫通部と前記収容空間とが繋がるパッケージ。
【符号の説明】
【００７８】
１                                  ：パッケージ
１０，２１０，３１０，４１０        ：トレー
１１，２１１，３１１，４１１        ：開口
２０，２２０，３２０，４２０        ：本体
３０，２３０，３３０，４３０        ：フランジ
３２Ａ，２３３Ａ，３３２，４３２    ：凹部
３２Ｂ，２３３Ｂ，３３２Ａ，４３２Ａ：凹部空間
４０，２４０，３４０，４４０        ：シール予定部
５０，２５０，３５０，４５０        ：蓋
５１，２５１，３５１，４５１        ：貫通部
１１０                              ：液状内容物（内容物）
１２０                              ：固形状内容物（内容物）
【図１】
0006596992.tif 000002
【図２】
0006596992.tif 000003
【図３】
0006596992.tif 000004
【図４】
0006596992.tif 000005
【図５】
0006596992.tif 000006
【図６】
0006596992.tif 000007
【図７】
0006596992.tif 000008
【図８】
0006596992.tif 000009
【図９】
0006596992.tif 000010
【図１０】
0006596992.tif 000011
【図１１】
0006596992.tif 000012
【図１２】
0006596992.tif 000013
【図１３】
0006596992.tif 000014
【図１４】
0006596992.tif 000015
【図１５】
0006596992.tif 000016
【図１６】
0006596992.tif 000017
【図１７】
0006596992.tif 000018
【図１８】
0006596992.tif 000019
【図１９】
0006596992.tif 000020
【図２０】
0006596992.tif 000021